(57)【要約】【課題】無線基地局を跨るハンドオーバにおいて、ハンドオーバのたびごとにかかるＥＰＣへの処理負荷を軽減させること。【解決手段】無線基地局Ｘ１０は、移動体通信端末４０が通信相手を自無線基地局Ｘ１０から無線基地局Ｙ３０に切り替える要求がされたとき、無線基地局Ｙ３０との直接接続が確立されているか否かを判定するハンドオーバ種別判断部１１１と、判定された結果、無線基地局Ｙ３０との直接接続の確立がされていないとき、無線基地局Ｙ３０と直接接続を確立するために必要な接続情報を、無線基地局Ｙ３０から間接的に取得する設定情報取得部１３１と、取得された無線基地局Ｙ３０の接続情報に基づいて、無線基地局Ｙ３０に対して直接接続の確立を要求する設定要求部１４１と、を備える。【選択図】        図６
2010074553.tif 000002
【特許請求の範囲】
【請求項１】
移動機が通信相手を自基地局装置から他の基地局装置に切り替える要求がされたとき、前記他の基地局装置との直接接続が確立されているか否かを判定する判定手段と、
前記判定手段によって判定された結果、前記他の基地局装置との直接接続の確立がされていないとき、前記他の基地局装置と直接接続を確立するために必要な接続情報を、前記他の基地局装置から間接的に取得する接続情報取得手段と、
前記接続情報取得手段によって取得された前記他の基地局装置の接続情報に基づいて、前記他の基地局装置に対して直接接続の確立を要求する接続要求手段と、
を備えたことを特徴とする基地局装置。
【請求項２】
複数の移動機それぞれが通信相手を自基地局装置から前記他の基地局装置に切り替える実施が、前記接続要求手段によって要求された結果確立された前記他の基地局装置と直接接続によって実施された回数、または、前記他の基地局装置と間接的な接続によって実施された回数、を数える計数手段と、
前記計数手段によって実施回数を数えた結果、前記他の基地局装置と間接的な接続によって実施された実施回数が所定の回数を超えているか否かを判定する間接実施回数判定手段と、をさらに備え、
前記接続要求手段は、
前記間接実施回数判定手段によって判定された結果、前記他の基地局装置と間接的な接続によって実施された実施回数が所定の回数を超えているとき、前記他の基地局装置に対して直接接続の確立を要求することを特徴とする請求項１に記載の基地局装置。
【請求項３】
前記計数手段によって実施回数を数えた結果、前記他の基地局装置と直接接続によって実施された実施回数が所定の回数を超えているか否かを判定する直接実施回数判定手段と、
前記直接実施回数判定手段によって判定された結果、前記他の基地局装置と直接接続によって実施された実施回数が所定の回数を超えていないとき、前記他の基地局装置に対して接続の終了を要求する接続終了要求手段と、をさらに備えることを特徴とする請求項２に記載の基地局装置。
【請求項４】
前記接続情報取得手段によって取得された前記他の基地局装置の接続情報を記憶する接続情報記憶手段をさらに備え、
前記接続要求手段は、
前記間接実施回数判定手段によって判定された結果、前記他の基地局装置と間接的な接続によって実施された実施回数が所定の回数を超えているとき、前記接続情報記憶手段によって記憶された前記他の基地局装置の接続情報に基づいて、前記他の基地局装置に対して直接接続の確立を要求することを特徴とする請求項２に記載の基地局装置。
【請求項５】
前記間接実施回数判定手段は、
前記計数手段によって実施回数を数えた結果、前記他の基地局装置と間接的な接続によって実施された回数が増えるとき、前記他の基地局装置と間接的な接続によって実施された実施回数が所定の回数を超えているか否かを判定することを特徴とする請求項２に記載の基地局装置。
【請求項６】
前記直接実施回数判定手段は、
前記計数手段によって実施回数を数えた結果、前記他の基地局装置と直接接続によって実施された回数が増えるとき、前記他の基地局装置との直接接続によって実施された実施回数が所定の回数を超えているか否かを判定することを特徴とする請求項３に記載の基地局装置。
【請求項７】
移動機が無線通信中の第１の基地局装置と、前記第１の基地局装置に隣接する第２の基地局装置と、前記第１の基地局装置と第２の基地局装置とに接続する制御装置と、を有する通信制御システムであって、
前記第１の基地局装置は、
移動機が通信相手を第１の基地局装置から第２の基地局装置に切り替える要求がされたとき、前記第２の基地局装置との直接接続が確立されているか否かを判定する判定手段と、
前記判定手段によって判定された結果、前記第２の基地局装置との直接接続の確立がされていないとき、前記第２の基地局装置と直接接続を確立するために必要な接続情報を、前記第２の基地局装置から前記制御装置を経由して取得する接続情報取得手段と、
前記接続情報取得手段によって取得された前記第２の基地局装置の接続情報に基づいて、前記第２の基地局装置に対して直接接続の確立を要求する接続要求手段を備えることを特徴とする通信制御システム。
【請求項８】
移動機が無線通信中の第１の基地局装置と、前記第１の基地局装置に隣接する第２の基地局装置と、前記第１の基地局装置と第２の基地局装置とに接続する制御装置と、を有する通信制御システムにおける通信制御方法であって、
前記第１の基地局装置は、
移動機が通信相手を第１の基地局装置から第２の基地局装置に切り替える要求がされたとき、前記第２の基地局装置との直接接続が確立されているか否かを判定する判定工程と、
前記判定工程によって判定された結果、前記第２の基地局装置との直接接続の確立がされていないとき、前記第２の基地局装置と直接接続を確立するために必要な接続情報を、前記第２の基地局装置から前記制御装置を経由して取得する接続情報取得工程と、
前記接続情報取得工程によって取得された前記第２の基地局装置の接続情報に基づいて、前記第２の基地局装置に対して直接接続の確立を要求する接続要求工程を含むことを特徴とする通信制御方法。
【請求項９】
移動機が通信相手を自基地局装置から他の基地局装置に切り替える要求がされたとき、前記他の基地局装置との直接接続が確立されているか否かを判定する判定工程と、
前記判定工程によって判定された結果、前記他の基地局装置との直接接続の確立がされていないとき、前記他の基地局装置と直接接続を確立するために必要な接続情報を、前記他の基地局装置から間接的に取得する接続情報取得工程と、
前記接続情報取得工程によって取得された前記他の基地局装置の接続情報に基づいて、前記他の基地局装置に対して直接接続の確立を要求する接続要求工程と、
を含むことを特徴とする局間制御方法。
【請求項１０】
移動機が通信相手を自基地局装置から他の基地局装置に切り替える要求がされたとき、前記他の基地局装置との直接接続が確立されているか否かを判定する判定手順と、
前記判定手順によって判定された結果、前記他の基地局装置との直接接続の確立がされていないとき、前記他の基地局装置と直接接続を確立するために必要な接続情報を、前記他の基地局装置から間接的に取得する接続情報取得手順と、
前記接続情報取得手順によって取得された前記他の基地局装置の接続情報に基づいて、前記他の基地局装置に対して直接接続の確立を要求する接続要求手順と、
をコンピュータに実行させることを特徴とする局間制御プログラム。
【発明の詳細な説明】
【技術分野】
【０００１】
本発明は、無線基地局を跨るハンドオーバにおいて、ハンドオーバのたびごとにかかるＥＰＣの処理負荷を軽減させることができる基地局装置、通信制御システム、通信制御方法、局間制御方法および局間制御プログラムに関する。
【背景技術】
【０００２】
従来より、第３世代（３Ｇ）移動体通信から第４世代（４Ｇ）移動体通信への移行を段階的に進めるために、高速移動体通信の規格としてＬＴＥ（Long  Term  Evolution：スーパー３Ｇ）の開発が行われている。このＬＴＥは、ＩＭＴ−２０００発展系であると位置付けられながら、４Ｇへの移行をスムーズに行うために、無線インターフェースやＲＡＮ（Radio  Access  Controller）アーキテクチャが３Ｇシステムから抜本的に見直されている。その結果、ＬＴＥは、遅延時間の圧縮や通信速度の向上等によって、下り最大３００Ｍビット／秒、上り最大５０Ｍビット／秒のデータ通信速度を実現する。
【０００３】
このＬＴＥの移動体通信システムでは、現在の３Ｇからノードの変更がある。具体的には、複数の無線基地局がＥＰＣ（Evolved Packet Core）によって集中的に管理されるために、従来の３Ｇでは設置されていたＲＮＣ（Radio  Network  Controller）が省かれて、ＲＮＣが備えていた機能の殆どは無線基地局へ配置される。
【０００４】
ところで、ＬＴＥの無線基地局間の通信では、ＥＰＣを経由する場合にはＳ１プロトコルのメッセージが使用され、ＥＰＣを経由しない場合にはＸ２プロトコルのメッセージが使用されることが３ＧＰＰ（Third  Generation  Partnership  Project）勧告によって規定されている。これらのＸ２プロトコルおよびＳ１プロトコルのメッセージが使用されるために、無線基地局は通信対象の無線基地局およびＥＰＣとの間で局間リンクの設定を完了する必要がある。
【０００５】
この局間リンクは、一般的に、無線基地局の開設時または隣接無線基地局の増減時に設定または解放され、全隣接無線基地局に対して設定されるのが望ましい。しかし、現状では、多くの隣接無線基地局に対して局間リンクを設定すると、局間リンクの設定処理が増加するため設定中に中断される移動体通信を再開する時間が遅延すること、および、局間リンクの設定に必要なリソースが有限であるため多くの局間リンクを設定するとリソースが不足すること等の理由から、局間リンクを設定する隣接無線基地局の数はできるだけ少なくされている。
【０００６】
そして、このような局間リンクの設定の現状を踏まえて３ＧＰＰ勧告では、移動機が無線基地局を跨る移動をしたとき、移動機の移動等にともなって移動機と無線基地局との間の無線リンクを切り替える処理（「ハンドオーバ」という。）が定義されている。すなわち、移動機が無線基地局を跨る移動をしたとき、無線基地局間の局間リンクを利用するＸ２ハンドオーバおよび無線基地局とＥＰＣとの間の局間リンクを利用するＳ１ハンドオーバが定義されている。
【０００７】
ここで、ＬＴＥを用いた移動体通信のハンドオーバの動作について、図１６を参照して説明する。同図に示すように、このＬＴＥを用いた移動体通信システムでは、複数の無線基地局（Ａ、Ｂ、Ｘ、Ｙ、Ｃ）がＥＰＣに直接接続され、ＥＰＣとの間にそれぞれ局間リンクが設定されている。また、無線基地局Ｘは、無線基地局Ａとの間に局間リンクが設定されているが、それ以外の無線基地局Ｂ、Ｙ、Ｃとの間に局間リンクが設定されていない。このような状況下で、例えば、無線基地局Ｘと無線通信中の移動機が無線基地局Ａの管理下に移動したとき、無線基地局Ｘと無線基地局Ａとは、局間リンクが設定されているため、Ｘ２ハンドオーバを実施する。一方、無線基地局Ｘと無線通信中の移動機が無線基地局Ｃの管理下に移動したとき、無線基地局Ｘと無線基地局Ｃとは、局間リンクが設定されていないため、Ｘ２ハンドオーバを実施できず、Ｓ１ハンドオーバを実施する。
【０００８】
なお、無線基地局Ｘと無線通信中の移動機がハンドオーバする無線基地局がない場所に移動しようとしているとき、移動機が定期的に行うハンドオーバ要求の頻度を少なくすることにより、ハンドオーバ動作のために発生する音声断を少なくして移動機と無線基地局との間の通信の品質を高める技術が開示されている。
【０００９】
【特許文献１】国際公開第ＷＯ９９／３４６２７号パンフレット
【発明の開示】
【発明が解決しようとする課題】
【００１０】
しかしながら、多数の移動機が無線通信中の無線基地局から当該無線基地局と局間リンクが設定されていない無線基地局にハンドオーバを行う場合、ハンドオーバのたびごとにＳ１ハンドオーバが行われることになりＥＰＣの処理負荷が増大するという問題がある。
【００１１】
具体的に、ＥＰＣの負荷に関する問題を、図１７を用いて説明する。同図に示すように、無線基地局Ｘおよび無線基地局Ｃは、ＥＰＣとの間にそれぞれ局間リンクが設定されているが、無線基地局Ｘと無線基地局Ｃとの間に局間リンクが設定されていない。このような状況下で、無線基地局Ｘと無線通信中の多数の移動機が無線基地局Ｃの管理下に移動したとき、無線基地局Ｘと無線基地局Ｃとは、局間リンクが設定されていないためＸ２ハンドオーバを実施できず、毎回Ｓ１ハンドオーバを実施することになる。これにより、ＥＰＣでは、Ｓ１ハンドオーバの処理が増加することになり、処理負荷が増大する。
【００１２】
特に、ＬＴＥでは、１つのＥＰＣが多数の無線基地局を管理することが想定され、複数の無線基地局から一度に多数のＳ１ハンドオーバの要求がされた場合、ＥＰＣの処理負荷がさらに増大することになる。その結果、ハンドオーバ処理は失敗するおそれがあり、既に存在する呼へのサービスも低下するおそれがある。
【００１３】
本発明は、上記に鑑みてなされたものであって、無線基地局を跨るハンドオーバにおいて、ハンドオーバのたびごとにかかるＥＰＣへの処理負荷を軽減させることができる基地局装置、通信制御システム、通信制御方法、局間制御方法および局間制御プログラムを提供することを目的とする。
【課題を解決するための手段】
【００１４】
手段の１例として、例えば、移動機が通信相手を自基地局装置から他の基地局装置に切り替える要求がされたとき、前記他の基地局装置との直接接続が確立されているか否かを判定する判定手段と、前記判定手段によって判定された結果、前記他の基地局装置との直接接続の確立がされていないとき、前記他の基地局装置と直接接続を確立するために必要な接続情報を、前記他の基地局装置から間接的に取得する接続情報取得手段と、前記接続情報取得手段によって取得された前記他の基地局装置の接続情報に基づいて、前記他の基地局装置に対して直接接続の確立を要求する接続要求手段と、を備えた基地局装置を用いる。
【００１５】
かかる構成によれば、基地局装置は、他の基地局装置と接続の確立がされた後以降、移動機が通信相手を自基地局装置から他の基地局装置に切り替える要求がされたとき、無線経路の切替処理を直接他の基地局装置とやりとりすることができるため、基地局装置と他の基地局装置との間にある例えば切替処理の一部を担うＥＰＣを経由しないで切替処理を実施することとなり、ＥＰＣの処理負荷を軽減させることができる。
【発明の効果】
【００１６】
本明細書に開示された基地局装置、通信制御システム、通信制御方法、局間制御方法および局間制御プログラムは、基地局装置を跨るハンドオーバにおいて、ハンドオーバのたびごとにかかるＥＰＣへの処理負荷を軽減させることができる。
【発明を実施するための最良の形態】
【００１７】
以下に、本発明に係るＬＴＥを用いた無線基地局および通信制御システムの実施例を図面に基づいて詳細に説明する。なお、本実施例によりこの発明が限定されるものではない。
【実施例１】
【００１８】
図１は、本実施例１に係る通信制御システムの全体構成の一例を示す図である。同図に示すように、通信制御システムは、ＥＰＣと、複数の無線基地局Ａ、Ｂ、Ｃ、Ｘ、Ｙと、移動体通信端末と、を備えて構成される。
【００１９】
ＥＰＣは、管理下に配置される無線基地局間の経路制御およびデータ送受信制御を有線通信によって実施する。例えば、ＥＰＣは、移動体通信端末が無線基地局を跨るハンドオーバをしたとき、ハンドオーバに伴う無線基地局間のメッセージの送受信を行ったり、有線経路の切り替え（パス切替）を行ったりする。
【００２０】
移動体通信端末は、無線通信中の無線基地局とメッセージの送受信を行う。例えば、移動体通信端末は、無線基地局を跨るハンドオーバをしたとき、無線通信中の無線基地局に無線経路の切り替えを要求するハンドオーバ要求を送信する。また、移動体通信端末は、ハンドオーバ要求を送信した無線基地局からハンドオーバ要求に対する応答を取得すると、新たな無線基地局との無線経路を確立して、確立した無線経路を用いて、無線経路を切り替えたことを示すハンドオーバ完了通知を新たな無線基地局に送信する。なお、移動体通信端末は、携帯電話であるが、一般的に広く利用されているパーソナルコンピュータやワークステーション、家庭用ゲーム機、インターネットＴＶ、ＰＤＡ、あるいは携帯電話やＰＨＳ等の移動体通信端末であっても良い。
【００２１】
無線基地局Ａ、Ｂ、Ｃ、Ｘ、Ｙは、ＥＰＣの管理下に配置され、それぞれＥＰＣを経由して隣接する無線基地局と通信するためにＳ１プロトコルの局間リンクが設定される。これにより、無線基地局Ｘは、ＥＰＣを経由して隣接する無線基地局Ｙと通信する。また、無線基地局Ｘは、隣接する無線基地局、例えば無線基地局Ａまたは無線基地局Ｂと直接通信するためにＸ２プロトコルの局間リンクが設定される。これにより、無線基地局Ｘは、ＥＰＣを経由しないで隣接する無線基地局ＡまたはＢと通信する。なお、ＥＰＣの管理下に設置されたすべての無線基地局は、ＥＰＣとＳ１プロトコルの局間リンクが設定されている。
【００２２】
移動体通信端末が通信相手を無線基地局Ｘから無線基地局Ｙに切り替えるとき、無線基地局Ｘは、無線基地局ＹとＸ２プロトコルの局間リンクが設定されていないとき、無線基地局ＹとＸ２プロトコルの局間リンクを設定するために必要な設定情報を、ＥＰＣ経由で無線基地局Ｙから取得する。そして、無線基地局Ｘは、無線基地局Ｙから取得された設定情報を用いて、無線基地局Ｙに対してＸ２プロトコルの局間リンクの設定要求を行い、無線基地局Ｙは、無線基地局ＸとのＸ２プロトコルの局間リンクの設定を行う。これにより、無線基地局Ｘは、無線基地局Ｙと直接メッセージの送受信を行うことができるようになり、次回からハンドオーバ処理を行う場合無線基地局Ｙと直接メッセージのやりとりをすることができる。その結果、ハンドオーバのたびごとにかかるＥＰＣの処理負荷が軽減されることとなる。なお、無線基地局Ｘおよび無線基地局Ｙが行う処理については後に詳述する。
【００２３】
ここで、ＥＰＣと無線基地局との間の局間リンクを規定するＳ１プロトコルおよび無線基地局間の局間リンクを規定するＸ２プロトコルのプロトコルスタックを、図２および図３を参照して説明する。なお、Ｓ１プロトコルおよびＸ２プロトコルは、３ＧＰＰ勧告により規定されているものである。
【００２４】
図２は、Ｓ１プロトコルのプロトコルスタックを示す図である。同図に示すように、最下位層にはデバイスドライバ等の物理層のソフトウェアがあり、その上位にデータリンク層のソフトウェア、その上位にＩＰ等のネットワーク層のソフトウェアがあり、さらにその上位にＳＣＴＰのトランスポート層がある構成になっている。そして、最上位のアプリケーション層のＳ１アプリケーションソフトウェアは、ＳＣＴＰリンク（局間リンク）を設定することによって、Ｓ１プロトコルのメッセージを使用してＥＰＣと通信する。その結果、無線基地局Ｘは、ＥＰＣを経由して無線基地局Ｙと、Ｓ１プロトコルのメッセージを使用してハンドオーバに伴う処理を行う。
【００２５】
図３は、Ｘ２プロトコルのプロトコルスタックを示す図である。同図に示すように、Ｘ２プロトコルのプロトコルスタックの構成は、Ｓ１プロトコルとプロトコルスタックの構成と同様であるため、その説明を省略する。そして、最上位のアプリケーション層のＸ２アプリケーションソフトウェアは、ＳＣＴＰリンク（局間リンク）を設定することによって、Ｘ２プロトコルのメッセージを使用して局間リンクが設定された無線基地局と通信する。その結果、無線基地局Ｘは、Ｘ２プロトコルの局間リンクが設定された後は、直接無線基地局Ｙと、Ｘ２プロトコルのメッセージを使用してハンドオーバに伴う処理を行う。
【００２６】
次に、Ｓ１プロトコルの局間リンクを利用するＳ１ハンドオーバおよびＸ２プロトコルの局間リンクを利用するＸ２ハンドオーバの手順を、図４および図５を参照して簡単に説明する。ここで、Ｓ１ハンドオーバとは、Ｓ１プロトコルの局間リンクを利用するハンドオーバに伴う処理をいい、Ｘ２ハンドオーバとは、Ｘ２プロトコルの局間リンクを利用するハンドオーバに伴う処理をいうものとする。なお、無線基地局Ｘと無線通信中の移動体通信端末が、無線基地局Ｙの管理下に移動したものとする。
【００２７】
図４は、Ｘ２プロトコルの局間リンクが設定されていないときに行われるＳ１ハンドオーバの手順を簡単に示すシーケンス図である。同図に示すように、移動体通信端末が、無線基地局Ｘの管理下から無線基地局Ｙの管理下に移動したとき、無線通信中の無線基地局Ｘに対してＨＯ（ハンドオーバ）要求を送信する。すると、無線基地局Ｘは、無線基地局Ｙとの間でＸ２プロトコルの局間リンクを設定していないためＸ２ハンドオーバを利用できず、ハンドオーバ要求をＥＰＣを経由して無線基地局Ｙに対して送信する。ハンドオーバ要求を受信した無線基地局Ｙは、無線経路の確立を行い、ハンドオーバ要求に対する応答を、ＥＰＣを経由して無線基地局Ｘに対して送信する。ハンドオーバ要求に対する応答を受信した無線基地局Ｘは、ハンドオーバ指示を移動体通信端末に対して送信する。すると、移動体通信端末は、無線基地局Ｙとの無線経路を確立して、移動先の無線基地局Ｙに対して移動通知を送信する。移動通知を受信した無線基地局Ｙは、移動体通信端末向けの有線経路を無線基地局Ｘを介する有線経路から無線基地局Ｙを介する有線経路に切り替えるようにパス切替要求をＥＰＣに対して送信する。パス切替要求を受信したＥＰＣは、無線基地局Ｘを介する有線経路を無線基地局Ｙを介する有線経路に切り替えた後、パス切替応答を無線基地局Ｙに対して送信する。パス切替応答を受信した無線基地局Ｙは、リソースの解放指示をＥＰＣを経由して無線基地局Ｘに対して送信する。そして、無線基地局Ｘは、移動体通信端末と無線通信するために利用していたリソースを解放して、Ｓ１ハンドオーバが終了することになる。
【００２８】
また、図５は、Ｘ２プロトコルの局間リンクが設定された後行われるＸ２ハンドオーバの手順を簡単に示すシーケンス図である。ここで、図５では、無線基地局Ｘと無線基地局Ｙとは、Ｘ２プロトコルの局間リンクが設定されている。同図に示すように、移動体通信端末が、無線基地局Ｘの管理下から無線基地局Ｙの管理下に移動したとき、無線通信中の無線基地局Ｘに対してＨＯ（ハンドオーバ）要求を送信する。すると、無線基地局Ｘは、無線基地局Ｙとの間でＸ２プロトコルの局間リンクを設定しているため、ハンドオーバ要求を無線基地局Ｙに対して送信する。ハンドオーバ要求を受信した無線基地局Ｙは、無線経路の確立を行い、ハンドオーバ要求に対する応答を、無線基地局Ｘに対して送信する。ハンドオーバ要求に対する応答を受信した無線基地局Ｘは、ハンドオーバ指示を移動体通信端末に対して送信する。すると、移動体通信端末は、無線基地局Ｙとの無線経路を確立して、移動先の無線基地局Ｙに対して移動通知を送信する。移動通知を受信した無線基地局Ｙは、移動体通信端末向けの有線経路を無線基地局Ｘを介する有線経路から無線基地局Ｙを介する有線経路に切り替えるようにパス切替要求をＥＰＣに対して送信する。パス切替要求を受信したＥＰＣは、無線基地局Ｘを介する有線経路を無線基地局Ｙを介する有線経路に切り替えた後、パス切替応答を無線基地局Ｙに対して送信する。パス切替応答を受信した無線基地局Ｙは、リソースの解放指示を無線基地局Ｘに対して送信する。そして、無線基地局Ｘは、移動体通信端末と無線通信するために利用していたリソースを解放して、Ｘ２ハンドオーバが終了することになる。
【００２９】
このようにＳ１ハンドオーバとＸ２ハンドオーバの手順では、それぞれのＥＰＣとの送受信回数は、Ｘ２ハンドオーバがＳ１ハンドオーバの約１／４である。したがって、多数の移動体通信端末が通信相手を無線基地局Ｘから無線基地局Ｙに切り替える場合、Ｓ１ハンドオーバよりＸ２ハンドオーバの方がＥＰＣの処理負荷を軽減させることができる。
【００３０】
図６は、実施例１に係る通信制御システムの全体構成を示す機能ブロック図である。同図に示すように、通信制御システム１は、無線基地局Ｘ１０と、ＥＰＣ２０と、無線基地局Ｙ３０と、移動体通信端末４０と、を備える。
【００３１】
無線基地局Ｘ１０は、無線送受信部１００と、呼制御部１１０と、有線送受信部１２０と、リンク制御判断部１３０と、局間リンク制御部１４０と、無線基地局情報１５０と、ハンドオーバ実施情報１６０と、を備える。
【００３２】
無線送受信部１００は、移動体通信端末４０との間の制御信号の送受信を行う。具体的には、無線送受信部１００は、移動体通信端末４０から送信された無線基地局Ｙ３０へのハンドオーバ要求を受信して、ハンドオーバ種別判断部１１１に出力する。また、無線送受信部１００は、ハンドオーバ要求に対するハンドオーバ応答をハンドオーバ応答部１１４から受信して、移動体通信端末４０に送信する。
【００３３】
呼制御部１１０は、無線基地局Ｙ３０、ＥＰＣ２０および移動体通信端末４０から受信したメッセージに応じて移動体通信端末単位の呼制御を行う。呼制御部１１０は、ハンドオーバ種別判断部１１１と、ハンドオーバ要求部１１２と、ハンドオーバ応答部１１４と、を備える。
【００３４】
ハンドオーバ種別判断部１１１は、無線送受信部１００から無線基地局Ｙへのハンドオーバ要求を取得して、無線基地局ＹとのＸ２プロトコルの局間リンク（以下、Ｘ２プロトコルの局間リンクを単に「局間リンク」という。）が設定されているか否かを判断する。具体的には、ハンドオーバ種別判断部１１１は、無線基地局ごとに局間リンクが設定されているか否かを示す局間リンク設定状態を無線基地局情報１５０から参照して無線基地局Ｙとの局間リンクが設定されているか否かを判断する。そして、ハンドオーバ種別判断部１１１は、無線基地局Ｙとの局間リンクが設定されていないとき、無線基地局ＹにＥＰＣ２０を介して局間リンクに必要な設定情報を要求するために、無線基地局Ｙ３０の無線基地局番号および局間リンク設定情報を要求する旨をハンドオーバ要求部１１２に出力する。なお、ハンドオーバ種別判断部１１１は、無線基地局Ｙとの局間リンクが設定されているとき、無線基地局Ｙに局間リンクに必要な設定情報を要求する必要がないために、無線基地局Ｙ３０の無線基地局番号および局間リンク設定情報を要求しない旨をハンドオーバ要求部１１２に出力する。
【００３５】
ハンドオーバ要求部１１２は、ハンドオーバ種別判断部１１１から無線基地局Ｙ３０の無線基地局番号および局間リンク設定情報を要求する旨を取得すると、無線基地局Ｙ３０に対する局間リンク設定情報要求を含むＳ１ハンドオーバを用いて無線経路の切り替えを要求するハンドオーバ要求（以下、「Ｓ１ハンドオーバ要求」という。）を有線送受信部１２０に出力する。また、ハンドオーバ要求部１１２は、ハンドオーバ種別判断部１１１から無線基地局Ｙの無線基地局番号および局間リンク設定情報を要求しない旨を取得すると、無線基地局Ｙ３０に対する局間リンク設定情報要求が不要である旨を示す情報を含むＸ２ハンドオーバを用いて無線経路の切り替えを要求するハンドオーバ要求（以下、「Ｘ２ハンドオーバ要求」という。）を有線送受信部１２０に出力する。
【００３６】
ハンドオーバ応答部１１４は、有線送受信部１２０からハンドオーバ応答を取得し、ハンドオーバ応答に含まれた無線基地局Ｙ３０との局間リンクの設定情報を設定情報取得部１３１に出力する。また、ハンドオーバ応答部１１４は、有線送受信部１２０から移動体通信端末４０向けの有線経路を切り替える要求（パス切替要求）を取得し、自無線基地局を介した有線経路から無線基地局Ｙ３０を介した有線経路に移動体通信端末４０向けの有線経路を切り替え、ハンドオーバを終了する。そして、ハンドオーバ応答部１１４は、無線基地局Ｙ３０の無線基地局番号とＳ１ハンドオーバまたはＸ２ハンドオーバのいずれが実施されたかとを示す情報を含むハンドオーバ終了通知をハンドオーバ終了取得部１３２に出力する。
【００３７】
有線送受信部１２０は、ＥＰＣ２０および隣接する無線基地局との間の制御信号の送受信を行う。具体的には、有線送受信部１２０は、ハンドオーバ要求部１１２からＳ１ハンドオーバ要求を取得すると、ＥＰＣ２０にＳ１ハンドオーバ要求を送信する。また、有線送受信部１２０は、ハンドオーバ要求部１１２からＸ２ハンドオーバ要求を取得すると、無線基地局ＹにＸ２ハンドオーバ要求を送信する。また、有線送受信部１２０は、ＥＰＣ２０または無線基地局Ｙ３０からのハンドオーバ応答を受信すると、受信されたハンドオーバ応答をハンドオーバ応答部１１４に出力する。また、有線送受信部１２０は、ＥＰＣ２０または無線基地局Ｙ３０からのパス切替要求をハンドオーバ応答部１１４に出力する。さらに、有線送受信部１２０は、設定要求部１４１から無線基地局Ｙ３０に対するＳＣＴＰリンク設定要求を取得すると、ＳＣＴＰリンク設定要求を無線基地局Ｙ３０に送信する。そして、有線送受信部１２０は、ＳＣＴＰリンク要求に対するＳＣＴＰリンク設定応答を無線基地局Ｙ３０から受信して、設定応答部１４２に出力する。
【００３８】
リンク制御判断部１３０は、無線基地局Ｙ３０と接続を確立するために、無線基地局Ｙ３０との局間リンクの設定情報を取得し、無線基地局Ｙ３０に対して局間リンクの設定要求を行うか否かを判断する。リンク制御判断部１３０は、設定情報取得部１３１と、設定要求判断部１３３と、ハンドオーバ終了取得部１３２と、を備える。
【００３９】
設定情報取得部１３１は、ハンドオーバ応答部１１４から無線基地局Ｙ３０の局間リンクの設定情報を取得すると、取得された無線基地局Ｙとの局間リンクの設定情報を無線基地局情報１５０に記憶する。ここで、無線基地局Ｙとの局間リンクの設定情報は、例えば無線基地局ＹのＩＰアドレスおよびポート番号である。
【００４０】
ハンドオーバ終了取得部１３２は、無線基地局Ｙへのハンドオーバ終了通知をハンドオーバ応答部１１４から取得すると、無線基地局Ｙの無線基地局番号に対する実施されたハンドオーバ（Ｓ１またはＸ２）の実施回数を１加算してハンドオーバ実施情報１６０に記憶する。そして、ハンドオーバ終了取得部１３２は、無線基地局Ｙに対する局間リンクの設定要求指示を設定要求判断部１３３に出力する。
【００４１】
設定要求判断部１３３は、無線基地局Ｙに対する局間リンクの設定要求指示をハンドオーバ終了取得部１３２から取得すると、局間リンク設定要求の条件に合致したとき、無線基地局Ｙに対する局間リンク設定要求を設定要求部１４１に出力する。具体的には、設定要求判断部１３３は、無線基地局Ｙとの局間リンクが設定されているか否かを示す局間リンク設定状態を無線基地局情報１５０から参照して無線基地局Ｙと局間リンクが設定されているか否かを判断する。また、設定要求判断部１３３は、無線基地局Ｙとの局間リンクが設定されていないと判断したとき、無線基地局Ｙに対するＳ１ハンドオーバの実施回数をハンドオーバ実施情報１６０から参照して取得して、Ｓ１ハンドオーバの実施回数が所定回数以上であるか否かを判断する。この所定回数は、一定期間内にＳ１ハンドオーバが実施されるとＥＰＣ２０の処理負荷が所定の基準より大きくなると想定される実施回数であり、例えば１時間当たり１０回である。そして、設定要求判断部１３３は、実施回数が所定回数以上であると判断したとき、無線基地局Ｙに対する局間リンク設定要求を設定要求部１４１に出力する。なお、設定要求判断部１３３は、局間リンクの設定要求指示をハンドオーバ終了取得部１３２から取得したとき局間リンク設定要求の判断をするものとしたが、これに限定されず、定期的に実行しても良いし、不定期に実行しても良い。
【００４２】
局間リンク制御部１４０は、隣接する無線基地局との局間リンクの管理を行ったり、局間リンクの設定に伴うメッセージの入出力を行ったり、局間リンクを設定したりする。局間リンク制御部１４０は、設定要求部１４１と、設定応答部１４２と、を備える。
【００４３】
設定要求部１４１は、設定要求判断部１３３から無線基地局Ｙ３０に対する局間リンク設定要求を取得すると、無線基地局ＹとのＳＣＴＰリンク設定要求を有線送受信部１２０に出力する。この局間リンク設定要求には、例えば自無線基地局Ｘ１０のＩＰアドレスおよび無線基地局Ｙ３０との局間リンクを設定するために使用するポート番号を含む。
【００４４】
設定応答部１４２は、有線送受信部１２０から無線基地局Ｙ３０に対するＳＣＴＰリンク設定応答を取得すると、無線基地局Ｙ３０との局間リンクが設定されたことを無線基地局情報１５０に記憶する。
【００４５】
無線基地局情報１５０は、自無線基地局Ｘ１０と隣接する無線基地局Ｙ３０の局間リンク設定状態および局間リンクに必要な設定情報を記憶する。ここで、無線基地局情報１５０のデータ構造の一例について図７を参照して説明する。同図に示すように、無線基地局情報１５０は、自無線基地局と隣接する無線基地局を一意に表した無線基地局番号と、局間リンク設定状態と、ＩＰアドレスと、ポート番号と、を無線基地局番号ごとに保持する。局間リンク設定状態は、自無線基地局との局間リンクが設定されているか否かを表し、例えば局間リンクが設定されている場合は「設定中」、局間リンクが設定されていない場合は「未設定」が保持される。ＩＰアドレスは、無線基地局番号に対応する無線基地局のＩＰアドレスであり、ポート番号は、無線基地局番号に対応する無線基地局が自無線基地局との局間リンクを設定するために使用するポートの番号である。
【００４６】
図６に戻って、ハンドオーバ実施情報１６０は、自無線基地局Ｘ１０と隣接する隣接する無線基地局Ｙ３０に移動体通信端末４０がハンドオーバした際に実施されたハンドオーバの種別（Ｓ１またはＸ２）ごとに実施回数を記憶する。ここで、ハンドオーバ実施情報１６０のデータ構造の一例について図８を参照して説明する。同図に示すように、ハンドオーバ実施情報１６０は、隣接する無線基地局を一意に表した無線基地局番号と、Ｓ１ハンドオーバが実施された回数と、Ｘ２ハンドオーバが実施された回数と、を無線基地局番号ごとに保持する。なお、ハンドオーバ実施情報１６０のＳ１ハンドオーバ実施回数およびＸ２ハンドオーバ実施回数は、所定の期間ごとに０に更新されるものとする。これにより、設定要求判断部１３３は、Ｓ１ハンドオーバおよびＸ２ハンドオーバの実施頻度を所定の期間ごとに判断することができることになり、刻々と変化するＥＰＣ２０の処理負荷に対応して、局間リンクを設定することができる。なお、この所定の期間は、例えば１時間であっても良いし、１日であっても良い。
【００４７】
無線基地局Ｙ３０は、無線送受信部３００と、呼制御部３１０と、有線送受信部３２０と、局間リンク制御部３４０と、局間設定情報３７０と、を備える。
【００４８】
無線送受信部３００は、移動体通信端末４０との間の制御信号の送受信を実施する。具体的には、無線送受信部３００は、移動体通信端末４０から送信されたハンドオーバ完了通知を受信して、ハンドオーバ応答部３１４に出力する。
【００４９】
呼制御部３１０は、無線基地局Ｙ３０、ＥＰＣ２０および移動体通信端末４０から受信したメッセージに応じて移動体通信端末単位の呼制御を行う。呼制御部３１０は、ハンドオーバ応答部３１４を備える。
【００５０】
ハンドオーバ応答部３１４は、有線送受信部３２０から局間リンク設定情報要求を含んだＳ１ハンドオーバ要求を取得したとき、局間設定情報３７０を参照して自無線基地局の局間リンクの設定情報（ＩＰアドレスおよびポート番号）を取得する。そして、ハンドオーバ応答部３１４は、取得された局間リンクの設定情報をハンドオーバ応答に含み、ハンドオーバ応答を有線送受信部３２０に出力する。また、ハンドオーバ応答部３１４は、有線送受信部３２０から局間リンク設定情報要求が不要である旨を示す情報を含んだＸ２ハンドオーバ要求を取得したとき、局間リンクの設定情報を含まないハンドオーバ応答を有線送受信部３２０に出力する。
【００５１】
有線送受信部３２０は、ＥＰＣ２０および隣接する無線基地局との間の制御信号の送受信を実施する。具体的には、有線送受信部３２０は、ＥＰＣ２０または無線基地局Ｘ１０からハンドオーバ要求を取得すると、ハンドオーバ要求をハンドオーバ応答部３１４に出力する。また、有線送受信部３２０は、ハンドオーバ応答部３１４から局間リンクの設定情報を含んだハンドオーバ応答を取得すると、ハンドオーバ応答をＥＰＣ２０に送信する。さらに、有線送受信部３２０は、自無線基地局に対するＳＣＴＰリンク設定要求を無線基地局Ｘ１０から受信すると、無線基地局Ｘ１０との接続を確立するために、ＳＣＴＰリンク設定要求を設定応答部３４２に出力する。そして、有線送受信部３２０は、ＳＣＴＰリンク設定要求に対するＳＣＴＰリンク設定応答を設定応答部３４２から取得すると、ＳＣＴＰリンク設定応答を無線基地局Ｘ１０に送信する。
【００５２】
局間リンク制御部３４０は、隣接する無線基地局との局間リンクの管理を行い、局間リンクの設定信号の入出力を行う。局間リンク制御部３４０は、設定応答部３４２を備える。
【００５３】
設定応答部３４２は、有線送受信部３２０からＳＣＴＰリンク設定要求を取得すると、無線基地局Ｘ１０との局間リンクを設定して、ＳＣＴＰリンク設定応答を有線送受信部３２０に出力する。
【００５４】
次に、図９および図１０を参照して、実施例１に係る通信制御システムの全体処理のシーケンスについて説明する。図９では、通信制御システムのハンドオーバ手順について説明し、図１０では、局間リンクの設定手順について説明する。なお、移動体通信端末４０は、無線基地局Ｘ１０と無線通信中であるものとする。また、無線基地局Ｘ１０は、無線基地局Ｙ３０とのＸ２プロトコルの局間リンクを設定していないものとする。
【００５５】
図９では、実施例１に係る通信制御システムのハンドオーバ手順のシーケンスを示している。
【００５６】
まず、移動体通信端末４０は、利用者の地理的移動等によって無線基地局Ｙ３０の管理下に移動した場合にハンドオーバの契機が発生し（Ｓ１０１）、ハンドオーバ要求を無線基地局Ｘ１０に送信する（Ｓ１０２）。
【００５７】
このハンドオーバ要求を受信した無線基地局Ｘ１０の無線送受信部１００は、当該ハンドオーバ要求を呼制御部１１０のハンドオーバ種別判断部１１１に出力する（Ｓ１０３）。
【００５８】
そして、呼制御部１１０のハンドオーバ種別判断部１１１は、無線基地局情報１５０の局間リンク設定状態を参照して無線基地局Ｙ３０との局間リンクが設定されているか否かを判断する。すると、ハンドオーバ種別判断部１１１は、無線基地局Ｙ３０との局間リンクが設定されていないとき、有線送受信部１２０を介して、無線基地局Ｙ３０との局間リンクに必要な設定情報の要求を含んだハンドオーバ要求をＥＰＣ２０に送信する（Ｓ１０４〜Ｓ１０５）。
【００５９】
引き続き、無線基地局Ｘ１０からハンドオーバ要求を受信したＥＰＣ２０は、ハンドオーバ要求を無線基地局Ｙ３０に送信する（Ｓ１０６）。すると、ＥＰＣ２０からハンドオーバ要求を受信した無線基地局Ｙ３０の有線送受信部３２０は、当該ハンドオーバ要求を呼制御部３１０のハンドオーバ応答部３１４に出力する（Ｓ１０７）。ハンドオーバ要求を取得したハンドオーバ応答部３１４は、ハンドオーバ要求に含まれた自無線基地局との局間リンクに必要な設定情報の要求に応じて、自無線基地局との局間リンクの設定情報を取得して、取得された設定情報を含んだハンドオーバ応答を、有線送受信部３２０を介して、ＥＰＣ２０に送信する（Ｓ１０８〜Ｓ１０９）。
【００６０】
引き続き、無線基地局Ｙ３０からハンドオーバ応答を受信したＥＰＣ２０は、ハンドオーバ応答を無線基地局Ｘ１０に送信する（Ｓ１１０）。すると、ＥＰＣ２０からハンドオーバ応答を受信した無線基地局Ｘ１０の有線送受信部１２０は、当該ハンドオーバ応答を呼制御部１１０のハンドオーバ応答部１１４に出力する（Ｓ１１１）。そして、ハンドオーバ応答部１１４は、ハンドオーバ応答をリンク制御判断部１３０の設定情報取得部１３１に出力する(Ｓ１１３)とともに、当該ハンドオーバ応答を、無線送受信部１００を介して移動体通信端末４０に送信する（Ｓ１１２、Ｓ１１４）。ここで、設定情報取得部１３１は、ハンドオーバ応答に含まれた無線基地局Ｙ３０との局間リンクの設定情報（ＩＰアドレス、ポート番号）を無線基地局情報１５０に記憶する。
【００６１】
引き続き、無線基地局Ｘ１０からハンドオーバ応答を受信した移動体通信端末４０は、無線基地局Ｙ３０との無線経路を確立し、ハンドオーバ完了通知を無線基地局Ｙ３０に送信する（Ｓ１１５）。すると、移動体通信端末４０からハンドオーバ完了通知を受信した無線基地局Ｙ３０の無線送受信部３００は、当該ハンドオーバ完了通知を呼制御部３１０のハンドオーバ応答部３１４に出力する（Ｓ１１６）。そして、ハンドオーバ完了通知を取得したハンドオーバ応答部３１４は、有線送受信部３２０を介して、パス切替要求をＥＰＣ２０に送信する（Ｓ１１７〜Ｓ１１８）。
【００６２】
引き続き、無線基地局Ｘ３０からパス切替要求を受信したＥＰＣ２０は、無線基地局Ｙ３０との有線経路を確立し、無線基地局Ｙ３０にパス切替応答を送信する（Ｓ１１９）。すると、ＥＰＣ２０からパス切替応答を受信した無線基地局Ｙ３０の有線送受信部３２０は、当該パス切替応答を呼制御部３１０のハンドオーバ応答部３１４に出力する（Ｓ１２０）。そして、パス切替応答を取得したハンドオーバ応答部３１４は、無線基地局Ｘ１０に対するパス切替要求を、有線送受信部３２０を介して、ＥＰＣ２０に送信する（Ｓ１２１〜Ｓ１２２）。
【００６３】
引き続き、無線基地局Ｘ３０からパス切替要求を受信したＥＰＣ２０は、無線基地局Ｘ１０にパス切替要求を送信する（Ｓ１２３）。すると、ＥＰＣ２０からパス切替要求を受信した無線基地局Ｘ１０の有線送受信部１２０は、当該パス切替要求を呼制御部１１０のハンドオーバ応答部１１４に出力する（Ｓ１２４）。そして、パス切替要求を取得したハンドオーバ応答部１１４は、パス切替を実施し、ハンドオーバ終了通知をリンク制御判断部１３０に出力する（Ｓ１２５）。ハンドオーバ応答部１１４からハンドオーバ終了通知を取得したリンク制御判断部１３０のハンドオーバ終了取得部１３２は、Ｓ１ハンドオーバの実施回数を１加算してハンドオーバ実施情報１６０に記憶する。
【００６４】
図１０では、実施例１に係る通信制御システムの局間リンクを設定する処理手順のシーケンスを示している。なお、局間リンク設定処理は、あらかじめ定められた時刻に局間リンクの設定要求指示が起動されることを契機に開始されるものとする。
【００６５】
まず、無線基地局Ｙに対する局間リンクの設定要求指示を取得した設定要求判断部１３３は、局間リンク設定要求判断処理を行う（Ｓ１２６）。すなわち、無線基地局Ｙとの局間リンクが設定されているか否かを判断する。このとき、設定要求判断部１３３は、無線基地局Ｙとの局間リンクが設定されていないと判断したとき、無線基地局Ｙに対するＳ１ハンドオーバの実施回数が所定回数以上であるか否かを判断する。すると、設定要求判断部１３３は、Ｓ１ハンドオーバの実施回数が所定回数以上であると判断したとき、局間リンク設定要求を局間リンク制御部１４０の設定要求部１４１に出力する（Ｓ１２７）。
【００６６】
設定要求判断部１３３から局間リンク設定要求を取得した局間リンク制御部１４０の設定要求部１４１は、ＳＣＴＰリンク設定要求を、有線送受信部１２０を介して、無線基地局Ｙ３０に送信する（Ｓ１２８〜Ｓ１２９）。
【００６７】
引き続き、無線基地局Ｘ１０からＳＣＴＰリンク設定要求を取得した無線基地局Ｙ３０の有線送受信部３２０は、当該ＳＣＴＰリンク設定要求を局間リンク制御部３４０の設定応答部３４２に出力する（Ｓ１３０）。有線送受信部３２０からＳＣＴＰリンク設定要求を取得した設定応答部３４２は、無線基地局Ｘ１０との局間リンクを設定し、ＳＣＴＰリンク設定応答を有線送受信部３２０に出力する（Ｓ１３１）。設定応答部３４２からＳＣＴＰリンク設定応答を取得した有線送受信部３２０は、無線基地局Ｘ１０にＳＣＴＰリンク設定応答を送信する（Ｓ１３２）。
【００６８】
無線基地局Ｙ３０からＳＣＴＰリンク設定応答を取得した無線基地局Ｘ１０の有線送受信部１２０は、ＳＣＴＰリンク設定応答を局間リンク制御部１４０の設定応答部１４２に出力する（Ｓ１３３）。そして、有線送受信部１２０からＳＣＴＰリンク設定応答を取得した設定応答部１４２は、当該ＳＣＴＰリンク設定応答を取得し、無線基地局情報１５０の無線基地局Ｙ３０の局間リンク設定状態を「未設定」から「設定中」に更新する。
【００６９】
なお、局間リンク設定処理は、あらかじめ定められた時刻に局間リンクの設定要求指示が起動されたとき開始されるものとしたが、これに限定されず、ハンドオーバ終了取得部１３２によって局間リンクの設定要求指示が出力されたとき開始されるものとしても良いし、不定期に局間リンクの設定要求指示が起動されたとき開始されるものとしても良い。また、局間リンク設定処理は、無線基地局Ｙ３０だけを対象に実施されるものとして説明したが、これに限定されず、無線基地局情報１５０に記憶されている無線基地局すべてに対して実施されるものとしても良い。
【００７０】
次に、実施例１に係る局間リンク設定要求判断処理を、図１１を参照して説明する。図１１は、実施例１に係る局間リンク設定要求判断処理を示すフローチャートである。なお、局間リンク設定要求判断処理は、無線基地局Ｙ３０だけを対象に実施されるものとする。
【００７１】
無線基地局Ｙ３０との局間リンク設定要求指示を取得した設定要求判断部１３３は、無線基地局Ｙ３０との局間リンクが設定されているか否かを判断する（Ｓ２０１）。具体的には、設定要求判断部１３３は、無線基地局情報１５０から無線基地局Ｙ３０に対応する局間リンク設定情報を参照して、局間リンク設定情報が「設定中」であるか「未設定」であるかを判断する。
【００７２】
無線基地局Ｙ３０の局間リンクの設定状態が「設定中」である場合には（Ｓ２０１Ｙｅｓ）、設定要求判断部１３３は、局間リンクの設定を「不要」と判定し（Ｓ２０２）、既に無線基地局Ｙ３０と接続が確立されているため、局間リンク設定要求判断処理を終了する。
【００７３】
一方、無線基地局Ｙ３０の局間リンクの設定状態が「設定中」でない場合には（Ｓ２０１Ｎｏ）、設定要求判断部１３３は、無線基地局Ｙ３０に対するＳ１ハンドオーバの実施回数が所定回数以上であるか否かを判断する（Ｓ２０３）。具体的には、設定要求判断部１３３は、ハンドオーバ実施情報１６０から無線基地局Ｙ３０に対応するＳ１ハンドオーバ実施回数を参照して、Ｓ１ハンドオーバ実施回数が所定回数、例えば１０回以上であるか否かを判断する。
【００７４】
Ｓ１ハンドオーバ実施回数が１０回未満である場合には（Ｓ２０３Ｎｏ）、設定要求判断部１３３は、局間リンクの設定を「不要」と判定し（Ｓ２０２）、Ｓ１ハンドオーバが頻繁に行われておらずＥＰＣ２０に処理負荷がかかっていないため、局間リンク設定要求判断処理を終了する。
【００７５】
一方、Ｓ１ハンドオーバ実施回数が１０回以上である場合には（Ｓ２０３Ｙｅｓ）、設定要求判断部１３３は、局間リンクの設定を「要」と判定し（Ｓ２０４）、局間リンク設定要求判断処理を終了する。
【００７６】
引き続き、局間リンクの設定を「要」と判定した場合には、設定要求判断部１３３は、無線基地局Ｙに対する局間リンク設定要求を設定要求部１４１に出力する。そして、設定要求部１４１は、無線基地局Ｙに対する局間リンク設定要求を、有線送受信部１２０を介して無線基地局Ｙ３０に出力して、無線基地局Ｙ３０は、局間リンクの設定を行うことになる。
【００７７】
これにより、無線基地局Ｘ１０は、無線基地局Ｙ３０と接続を確立することができるため、次回からの無線基地局Ｙ３０へのハンドオーバ処理をＳ１ハンドオーバによる実施ではなくＸ２ハンドオーバによる実施をすることとなり、ＥＰＣの処理負担を軽減することができる。また、無線基地局Ｘ１０は、Ｓ１ハンドオーバ実施回数が所定回数未満のとき無線基地局Ｙ３０と接続を確立しないことにより、局間リンクの設定に必要なリソースを使用しなくてよいため、局間リンクに割り当てられたリソースを有効に活用することができる。
【００７８】
以上のように本実施例１によれば、無線基地局Ｘ１０は、移動体通信端末４０が通信相手を無線基地局Ｘ１０から無線基地局Ｙ３０に切り替える要求がされたとき、無線基地局Ｙ３０との局間リンクが設定されているか否かを判定する。判定の結果、無線基地局Ｙ３０との局間リンクが設定がされていないと判定されたとき、無線基地局Ｙ３０と局間リンクを設定するために必要な設定情報を、無線基地局Ｙ３０からＥＰＣ２０を経由して取得する。そして、無線基地局Ｘ１０は、取得された無線基地局Ｙ３０の設定情報に基づいて、無線基地局Ｙ３０に対して局間リンクの設定を要求する。
【００７９】
このようにして、無線基地局Ｘ１０は、無線基地局Ｙ３０と接局間リンクの設定がされた後以降、移動体通信端末４０が通信相手を無線基地局Ｘ１０から無線基地局Ｙ３０に切り替える要求がされたとき、無線経路の切替処理を直接無線基地局Ｙ３０とやりとりすることができるため、無線基地局Ｘ１０と無線基地局Ｙ３０との間に配置されたＥＰＣ２０を経由しないで切替処理を実施することとなり、ＥＰＣ２０の処理負荷を軽減させることができる。
【実施例２】
【００８０】
ところで、上記の実施例１では、移動体通信端末が、無線通信中の無線基地局とＸ２プロトコルの局間リンクが設定されていない隣接する無線基地局にＳ１ハンドオーバしたとき、無線基地局がＸ２プロトコルの局間リンクの設定を隣接する無線基地局に要求する場合を説明した。本発明はこれに限定されるものではなく、無線基地局と隣接する無線基地局間でＸ２プロトコルの局間リンクが設定された後に、さらに、Ｘ２ハンドオーバの実施状況を判断して、当該局間リンクの解放を隣接する無線基地局に要求しても良い。
【００８１】
そこで、実施例２では、無線基地局と隣接する無線基地局間でＸ２プロトコルの局間リンクが設定された後に、さらに、Ｘ２ハンドオーバの実施状況を判断して、当該局間リンクの解放を隣接する無線基地局に要求する場合を説明する。
【００８２】
まず、実施例２に係る通信制御システムの全体構成について図１２を参照しながら説明する。図１２は、実施例２に係る通信制御システムの全体構成を示す機能ブロック図である。同図に示すように、実施例２に係る通信制御システム２では、実施例１に係る通信制御システム１（図６）に解放要求判断部５３３と解放要求部５４１と解放応答部５４２と解放応答部６４２とが追加されている。なお、図１２において、図６と同じ部分には同じ符号を付し、詳しい説明を省略する。
【００８３】
ハンドオーバ終了取得部１３２は、無線基地局Ｙ３０へのハンドオーバ終了通知をハンドオーバ応答部１１４から取得すると、無線基地局Ｙに対する局間リンクの解放要求指示を解放要求判断部５３３に出力する。
【００８４】
解放要求判断部５３３は、無線基地局Ｙ３０に対する局間リンクの解放要求指示をハンドオーバ終了取得部１３２から取得すると、局間リンク解放要求の条件に合致したとき、無線基地局Ｙ３０に対する局間リンク解放要求を解放要求部５４１に出力する。具体的には、解放要求判断部５３３は、無線基地局Ｙ３０との局間リンクが設定されているか否かを示す局間リンク設定状態を無線基地局情報１５０から参照して無線基地局Ｙ３０と局間リンクが設定されているか否かを判断する。また、解放要求判断部５３３は、無線基地局Ｙ３０との局間リンクが設定されていると判断したとき、無線基地局Ｙ３０に対するＸ２ハンドオーバの実施回数をハンドオーバ実施情報１６０から参照して取得して、Ｘ２ハンドオーバの実施回数が所定回数以下であるか否かを判断する。この所定回数は、一定期間内に実施されたＸ２ハンドオーバが仮にＳ２ハンドオーバであったとしてもＥＰＣ２０に処理負荷が全くかからないと想定される実施回数であり、例えば１時間当たり２回である。そして、解放要求判断部５３３は、実施回数が所定回数以下であると判断したとき、無線基地局Ｙ３０に対する局間リンク設定要求を解放要求部５４１に出力する。なお、解放要求判断部５３３は、局間リンクの解放要求指示をハンドオーバ終了取得部１３２から取得したとき局間リンク解放要求の判断をするものとしたが、これに限定されず、定期的に実行しても良いし、不定期に実行しても良い。
【００８５】
解放要求部５４１は、解放要求判断部５３３から無線基地局Ｙ３０に対する局間リンク解放要求を取得すると、無線基地局Ｙ３０とのＳＣＴＰリンク解放要求を有線送受信部１２０に出力する。この局間リンク解放要求には、例えば自無線基地局Ｘ１０のＩＰアドレスおよび無線基地局Ｙ３０との局間リンクを設定するために使用するポート番号を含む。
【００８６】
解放応答部５４２は、有線送受信部１２０から無線基地局Ｙ３０に対するＳＣＴＰリンク解放応答を取得すると、無線基地局Ｙ３０との局間リンクが解放されたことを無線基地局情報１５０に記憶する。
【００８７】
解放応答部６４２は、有線送受信部３２０からＳＣＴＰリンク解放要求を取得すると、無線基地局Ｘ１０との局間リンクを解放して、ＳＣＴＰリンク解放応答を有線送受信部３２０に出力する。
【００８８】
有線送受信部１２０は、解放要求部５４１から無線基地局Ｙ３０に対するＳＣＴＰリンク解放要求を取得すると、ＳＣＴＰリンク解放要求を無線基地局Ｙ３０に送信する。そして、有線送受信部１２０は、ＳＣＴＰリンク解放要求に対するＳＣＴＰリンク解放応答を無線基地局Ｙ３０から受信して、解放応答部５４２に出力する。
【００８９】
有線送受信部３２０は、自無線基地局に対するＳＣＴＰリンク解放要求を無線基地局Ｘ１０から受信すると、無線基地局Ｘ１０との接続を終了するために、ＳＣＴＰリンク解放要求を開放応答部６４２に出力する。そして、有線送受信部３２０は、ＳＣＴＰリンク解放要求に対するＳＣＴＰリンク解放応答を解放応答部６４２から取得すると、ＳＣＴＰリンク解放応答を無線基地局Ｘ１０に送信する。
【００９０】
次に、図１３および図１４を参照して、実施例２に係る通信制御システムの全体処理のシーケンスについて説明する。図１３では、通信制御システムのハンドオーバ手順について説明し、図１４では、局間リンクの解放手順について説明する。なお、移動体通信端末４０は、無線基地局Ｘ１０と無線通信中であるものとする。また、無線基地局Ｘ１０は、無線基地局Ｙ３０とのＸ２プロトコルの局間リンクを設定しているものとする。
【００９１】
図１３では、実施例２に係る通信制御システムのハンドオーバ手順のシーケンスを示している。
【００９２】
まず、移動体通信端末４０は、利用者の地理的移動等によって無線基地局Ｙ３０の管理下に移動した場合にハンドオーバの契機が発生し（Ｓ３０１）、ハンドオーバ要求を無線基地局Ｘ１０に送信する（Ｓ３０２）。
【００９３】
このハンドオーバ要求を受信した無線基地局Ｘ１０の無線送受信部１００は、当該ハンドオーバ要求を呼制御部１１０のハンドオーバ種別判断部１１１に出力する（Ｓ３０３）。
【００９４】
そして、呼制御部１１０のハンドオーバ種別判断部１１１は、無線基地局情報１５０の局間リンク設定状態を参照して無線基地局Ｙ３０との局間リンクが設定されているか否かを判断する。すると、ハンドオーバ種別判断部１１１は、無線基地局Ｙ３０との局間リンクが設定されているとき、局間リンクに必要な設定情報を既に取得しているため、局間リンクの設定情報の要求が不要である旨を示す情報を含むハンドオーバ要求を、有線送受信部１２０を介して無線基地局Ｙ３０に送信する（Ｓ３０４〜Ｓ３０５）。
【００９５】
引き続き、無線基地局Ｘ１０からハンドオーバ要求を受信した無線基地局Ｙ３０の有線送受信部３２０は、ハンドオーバ要求を呼制御部３１０のハンドオーバ応答部３１４に出力する（Ｓ３０６）。その後、ハンドオーバ応答部３１４は、局間リンクの設定情報の要求が不要であるため、局間リンクの設定情報を含まないハンドオーバ応答を、有線送受信部３２０を介して、無線基地局Ｘ３０に送信する（Ｓ３０７〜Ｓ３０８）。
【００９６】
引き続き、無線基地局Ｙ３０からハンドオーバ応答を受信した無線基地局Ｘ１０の有線送受信部１２０は、当該ハンドオーバ応答を呼制御部１１０のハンドオーバ応答部１１４に出力する（Ｓ３０９）。そして、ハンドオーバ応答部１１４は、ハンドオーバ応答をリンク制御判断部１３０の設定情報取得部１３１に出力する(Ｓ３１１)とともに、当該ハンドオーバ応答を、無線送受信部１００を介して移動体通信端末４０に送信する（Ｓ３１０、Ｓ３１２）。ここで、設定情報取得部１３１は、ハンドオーバ応答に無線基地局Ｙ３０との局間リンクの設定情報が含まれていないため、処理は何もされない。
【００９７】
引き続き、無線基地局Ｘ１０からハンドオーバ応答を受信した移動体通信端末４０は、無線基地局Ｙ３０との無線経路を確立し、ハンドオーバ完了通知を無線基地局Ｙ３０に送信する（Ｓ３１３）。すると、移動体通信端末４０からハンドオーバ完了通知を受信した無線基地局Ｙ３０の無線送受信部３００は、当該ハンドオーバ完了通知を呼制御部３１０のハンドオーバ応答部３１４に出力する（Ｓ３１４）。そして、ハンドオーバ完了通知を取得したハンドオーバ応答部３１４は、有線送受信部３２０を介して、パス切替要求をＥＰＣ２０に送信する（Ｓ３１５〜Ｓ３１６）。
【００９８】
引き続き、無線基地局Ｘ３０からパス切替要求を受信したＥＰＣ２０は、無線基地局Ｙ３０との有線経路を確立し、無線基地局Ｙ３０にパス切替応答を送信する（Ｓ３１７）。すると、ＥＰＣ２０からパス切替応答を受信した無線基地局Ｙ３０の有線送受信部３２０は、当該パス切替応答を呼制御部３１０のハンドオーバ応答部３１４に出力する（Ｓ３１８）。そして、パス切替応答を取得したハンドオーバ応答部３１４は、無線基地局Ｘ１０に対するパス切替要求を、有線送受信部３２０を介して、無線基地局Ｘ１０に送信する（Ｓ３１９〜Ｓ３２０）。
【００９９】
引き続き、無線基地局Ｘ３０からパス切替要求を受信した無線基地局Ｘ１０の有線送受信部１２０は、当該パス切替要求を呼制御部１１０のハンドオーバ応答部１１４に出力する（Ｓ３２１）。そして、パス切替要求を取得したハンドオーバ応答部１１４は、パス切替を実施し、ハンドオーバ終了通知をリンク制御判断部５３０に出力する（Ｓ３２２）。ハンドオーバ応答部１１４からハンドオーバ終了通知を取得したリンク制御判断部５３０のハンドオーバ終了取得部１３２は、Ｘ２ハンドオーバの実施回数を１加算してハンドオーバ実施情報１６０に記憶する。
【０１００】
図１４では、実施例２に係る通信制御システムの局間リンクを解放する処理手順のシーケンスを示している。なお、局間リンク解放処理は、あらかじめ定められた時刻に局間リンクの解放要求指示が起動されることを契機に開始されるものとする。
【０１０１】
まず、無線基地局Ｙ３０に対する局間リンクの解放要求指示を取得した解放要求判断部５３３は、局間リンク解放要求判断処理を行う（Ｓ３２３）。すなわち、無線基地局Ｙ３０との局間リンクが設定されているか否かを判断する。このとき、解放要求判断部５３３は、無線基地局Ｙとの局間リンクが設定されていると判断したとき、無線基地局Ｙに対するＸ２ハンドオーバの実施回数が所定回数以下であるか否かを判断する。すると、解放要求判断部５３３は、Ｘ２ハンドオーバの実施回数が所定回数以下であると判断したとき、局間リンク解放要求を局間リンク制御部５４０の解放要求部５４１に出力する（Ｓ３２４）。
【０１０２】
解放要求判断部５３３から局間リンク解放要求を取得した局間リンク制御部５４０の解放要求部５４１は、ＳＣＴＰリンク解放要求を、有線送受信部１２０を介して、無線基地局Ｙ３０に送信する（Ｓ３２５〜Ｓ３２６）。
【０１０３】
引き続き、無線基地局Ｘ１０からＳＣＴＰリンク解放要求を取得した無線基地局Ｙ３０の有線送受信部３２０は、当該ＳＣＴＰリンク解放要求を局間リンク制御部６４０の解放応答部６４２に出力する（Ｓ３２７）。有線送受信部３２０からＳＣＴＰリンク解放要求を取得した解放応答部６４２は、無線基地局Ｘ１０との局間リンクを解放し、ＳＣＴＰリンク解放応答を有線送受信部３２０に出力する（Ｓ３２８）。解放応答部６４２からＳＣＴＰリンク解放応答を取得した有線送受信部３２０は、無線基地局Ｘ１０にＳＣＴＰリンク解放応答を送信する（Ｓ３２９）。
【０１０４】
無線基地局Ｙ３０からＳＣＴＰリンク設定応答を取得した無線基地局Ｘ１０の有線送受信部１２０は、ＳＣＴＰリンク解放応答を局間リンク制御部１４０の解放応答部５４２に出力する（Ｓ３３０）。そして、有線送受信部１２０からＳＣＴＰリンク解放応答を取得した解放応答部５４２は、当該ＳＣＴＰリンク解放応答を取得し、無線基地局情報１５０の無線基地局Ｙ３０の局間リンク設定状態を「設定中」から「未設定」に更新する。
【０１０５】
なお、局間リンク解放処理は、あらかじめ定められた時刻に局間リンクの解放要求指示が起動されたとき開始されるものとしたが、これに限定されず、ハンドオーバ終了取得部１３２によって局間リンクの解放要求指示が出力されたとき開始されるものとしても良いし、不定期に局間リンクの解放要求指示が起動されたとき開始されるものとしても良い。また、局間リンク解放処理は、無線基地局Ｙ３０だけを対象に実施されるものとして説明したが、これに限定されず、無線基地局情報１５０に記憶されている無線基地局すべてに対して実施されるものとしても良い。
【０１０６】
次に、実施例２に係る局間リンク解放要求判断処理を、図１５を参照して説明する。図１５は、実施例２に係る局間リンク解放要求判断処理を示すフローチャートである。なお、局間リンク解放要求判断処理は、無線基地局Ｙ３０だけを対象に実施されるものとする。
【０１０７】
無線基地局Ｙ３０との局間リンク解放要求指示を取得した解放要求判断部５３３は、無線基地局Ｙ３０との局間リンクが設定されているか否かを判断する（Ｓ４０１）。具体的には、解放要求判断部５３３は、無線基地局情報１５０から無線基地局Ｙ３０に対応する局間リンク設定情報を参照して、局間リンク設定情報が「設定中」であるか「未設定」であるかを判断する。
【０１０８】
無線基地局Ｙ３０の局間リンクの設定状態が「設定中」でない場合には（Ｓ４０１Ｎｏ）、解放要求判断部５３３は、局間リンクの解放を「不要」と判定し（Ｓ４０２）、既に無線基地局Ｙ３０との接続が終了されているため、局間リンク解放要求判断処理を終了する。
【０１０９】
一方、無線基地局Ｙ３０の局間リンクの設定状態が「設定中」である場合には（Ｓ４０１Ｙｅｓ）、解放要求判断部５３３は、無線基地局Ｙ３０に対するＸ２ハンドオーバの実施回数が所定回数以下であるか否かを判断する（Ｓ４０３）。具体的には、解放要求判断部５３３は、ハンドオーバ実施情報１６０から無線基地局Ｙ３０に対応するＸ２ハンドオーバ実施回数を参照して、Ｘ２ハンドオーバ実施回数が所定回数、例えば２回以下であるか否かを判断する。
【０１１０】
Ｘ２ハンドオーバ実施回数が２回を超えている場合には（Ｓ４０３Ｎｏ）、設定要求判断部１３３は、局間リンクの解放を「不要」と判定し（Ｓ４０２）、Ｘ２ハンドオーバが頻繁に行われており仮に局間リンクを解放してＳ１ハンドオーバにするとＥＰＣ２０に処理負荷がかかるため、局間リンク解放要求判断処理を終了する。
【０１１１】
一方、Ｘ２ハンドオーバ実施回数が２回以下である場合には（Ｓ４０３Ｙｅｓ）、Ｘ２ハンドオーバが頻繁に行われておらず仮に局間リンクを解放してＳ１ハンドオーバにしてもＥＰＣ２０に処理負荷がかからないため、解放要求判断部５３３は、局間リンクの解放を「要」と判定し（Ｓ４０４）、局間リンク解放要求判断処理を終了する。
【０１１２】
引き続き、局間リンクの解放を「要」と判定した場合には、解放要求判断部５３３は、無線基地局Ｙに対する局間リンク解放要求を解放要求部５４１に出力する。そして、解放要求部５４１は、無線基地局Ｙに対する局間リンク解放要求を、有線送受信部１２０を介して無線基地局Ｙ３０に出力して、無線基地局Ｙ３０は、局間リンクの解放を行うことになる。
【０１１３】
これにより、無線基地局Ｘ１０は、無線基地局Ｙ３０との局間リンクの解放と設定を動的に実施することが可能となり、Ｓ１ハンドオーバの実施によるＥＰＣ２０の処理負荷の増大を防止することができる。また、無線基地局Ｘ１０は、無線基地局Ｙ３０との局間リンクを解放することにより、局間リンクの設定に必要なリソースを解放することとなり、局間リンクに割り当てられたリソースを有効に活用することができる。
【０１１４】
以上のように本実施例２によれば、無線基地局Ｘ１０は、移動体通信端末４０が通信相手を無線基地局Ｘ１０から無線基地局Ｙ３０に切り替える要求がされたとき、無線基地局Ｙ３０との局間リンクが設定されているか否かを判定する。判定の結果、無線基地局Ｙ３０との局間リンクが設定がされていないと判定されたとき、無線基地局Ｙ３０と局間リンクを設定するために必要な設定情報を、無線基地局Ｙ３０からＥＰＣ２０を経由して取得する。そして、無線基地局Ｘ１０は、取得された無線基地局Ｙ３０の設定情報に基づいて、無線基地局Ｙ３０に対して局間リンクの設定を要求する。さらに、無線基地局Ｘ１０は、複数の移動体通信端末それぞれが通信相手を自無線基地局Ｘ１０から無線基地局Ｙ３０に切り替える実施がＳ１ハンドオーバによって実施された回数またはＸ２ハンドオーバによって実施された回数を数える。そして、Ｘ２ハンドオーバによって実施された実施回数が所定の回数を超えているか否かを判定して、Ｘ２ハンドオーバの実施回数が所定の回数を超えていないとき、無線基地局Ｙ３０に対して局間リンクの解放を要求する。
【０１１５】
このようにして、無線基地局Ｘ１０は、無線基地局Ｙ３０との局間リンクの解放と設定を動的に実施することが可能となり、Ｓ１ハンドオーバの実施によるＥＰＣ２０の処理負荷の増大を防止することができる。また、無線基地局Ｘ１０は、無線基地局Ｙ３０との局間リンクを解放することにより、局間リンクの設定に必要なリソースを解放することとなり、局間リンクに割り当てられたリソースを有効に活用することができる。
【０１１６】
なお、無線基地局Ｘ１０および無線基地局Ｙ３０にて行われる各処理機能は、その全部または任意の一部が、ＣＰＵ（Central Processing Unit）にて解析実行されるプログラムにて実現され、あるいは、ワイヤードロジックによるハードウェアとして実現されても良い。
【図面の簡単な説明】
【０１１７】
【図１】通信制御システムの全体構成の一例を示す図である。
【図２】Ｓ１のプロトコルスタックを示す図である。
【図３】Ｘ２のプロトコルスタックを示す図である。
【図４】Ｓ１ハンドオーバの簡易手順を示すシーケンス図である。
【図５】Ｘ２ハンドオーバの簡易手順を示すシーケンス図である。
【図６】実施例１に係る通信制御システムの全体構成を示す機能ブロック図ある。
【図７】無線基地局情報のデータ構造の一例を示す図である。
【図８】ハンドオーバ実施情報のデータ構造の一例を示す図である。
【図９】実施例１に係る通信制御システムのハンドオーバ手順のシーケンスを示す図である。
【図１０】実施例１に係る通信制御システムの局間リンク設定手順のシーケンスを示す図である。
【図１１】実施例１に係る局間リンク設定要求判断処理を示すフローチャートを示す図である。
【図１２】実施例２に係る通信制御システムの全体構成を示す機能ブロック図ある。
【図１３】実施例２に係る通信制御システムのハンドオーバ手順のシーケンスを示す図である。
【図１４】実施例２に係る通信制御システムの局間リンク解放手順のシーケンスを示す図である。
【図１５】実施例２に係る局間リンク解放要求判断処理を示すフローチャートを示す図である。
【図１６】従来のハンドオーバ動作を示す図である。
【図１７】従来のハンドオーバ動作の課題を示す図である。
【符号の説明】
【０１１８】
１０  無線基地局Ｘ
１００  無線送受信部
１１０  呼制御部
１１１  ハンドオーバ種別判断部
１１２  ハンドオーバ要求部
１１４  ハンドオーバ応答部
１２０  有線送受信部
１３０  リンク制御判断部
１３１  設定情報取得部
１３２  設定要求判断部
１３３  設定要求判断部
１４０  局間リンク制御部
１４１  設定要求部
１４２  設定応答部
１５０  無線基地局情報
１６０  ハンドオーバ実施情報
【図１】
2010074553.tif 000003
【図２】
2010074553.tif 000004
【図３】
2010074553.tif 000005
【図４】
2010074553.tif 000006
【図５】
2010074553.tif 000007
【図６】
2010074553.tif 000008
【図７】
2010074553.tif 000009
【図８】
2010074553.tif 000010
【図９】
2010074553.tif 000011
【図１０】
2010074553.tif 000012
【図１１】
2010074553.tif 000013
【図１２】
2010074553.tif 000014
【図１３】
2010074553.tif 000015
【図１４】
2010074553.tif 000016
【図１５】
2010074553.tif 000017
【図１６】
2010074553.tif 000018
【図１７】
2010074553.tif 000019